(57)【要約】  駆動電圧がそれぞれ異なり、並列あるいは直列に接続された複数のＭＥＭＳスイッチと、前記複数のＭＥＭＳスイッチを複数の駆動電圧で駆動する単一の電圧源とを設けたスイッチ回路を、マイクロ波回路やアンテナ回路に用い、駆動電圧の値によってマイクロ波回路やアンテナ回路の構成を可変する。つまり、異なる駆動電圧を持つ複数のＭＥＭＳスイッチから構成されるスイッチ回路をマイクロ波回路やアンテナ回路に用い、駆動電圧の値によってマイクロ波回路やアンテナ回路の構成を可変することができる。【特許請求の範囲】
【請求項１】
駆動電圧がそれぞれ異なり、並列に接続された複数のＭＥＭＳスイッチと、
前記複数のＭＥＭＳスイッチを複数の駆動電圧で駆動する単一の電圧源と
を備えたスイッチ回路。
【請求項２】
前記複数のＭＥＭＳスイッチは、所定の長さを有する線路の途中にそれぞれ配置され、
前記電圧源は、前記線路の終端に近いＭＥＭＳスイッチを低い駆動電圧で駆動するとともに、前記線路の入力端に近いＭＥＭＳスイッチを高い駆動電圧で駆動する
請求項１記載のスイッチ回路。
【請求項３】
前記複数のＭＥＭＳスイッチは、所定の長さを有する線路の途中にそれぞれ配置され、
前記電圧源は、前記線路の終端に近いＭＥＭＳスイッチを高い駆動電圧で駆動するとともに、前記線路の入力端に近いＭＥＭＳスイッチを低い駆動電圧で駆動する
請求項１記載のスイッチ回路。
【請求項４】
前記複数のＭＥＭＳスイッチは、複数の櫛歯を有する一組の櫛状導体の櫛歯間にそれぞれ配置され、
前記電圧源は、前記櫛状導体の先端に近いＭＥＭＳスイッチを低い駆動電圧で駆動するとともに、前記櫛状導体の給電点に近いＭＥＭＳスイッチを高い駆動電圧で駆動する
請求項１記載のスイッチ回路。
【請求項５】
前記複数のＭＥＭＳスイッチは、複数の櫛歯を有する一組の櫛状導体の櫛歯間にそれぞれ配置され、
前記電圧源は、前記櫛状導体の先端に近いＭＥＭＳスイッチを高い駆動電圧で駆動するとともに、前記櫛状導体の給電点に近いＭＥＭＳスイッチを低い駆動電圧で駆動する
請求項１記載のスイッチ回路。
【請求項６】
駆動電圧がそれぞれ異なり、直列に接続された複数のＭＥＭＳスイッチと、
前記複数のＭＥＭＳスイッチを複数の駆動電圧で駆動する単一の電圧源と
を備えたスイッチ回路。
【請求項７】
前記複数のＭＥＭＳスイッチは、複数の導体を接続するように導体間にそれぞれ配置され、
前記電圧源は、前記複数のＭＥＭＳスイッチにより直列に接続された複数の導体を短くする場合には、前記複数のＭＥＭＳスイッチにより直列に接続された複数の導体を低い駆動電圧で駆動するとともに、前記複数のＭＥＭＳスイッチにより直列に接続された複数の導体を長くする場合には、前記複数のＭＥＭＳスイッチにより直列に接続された複数の導体を高い駆動電圧で駆動する
請求項６記載のスイッチ回路。
【発明の詳細な説明】
【技術分野】
【０００１】
この発明は、異なる駆動電圧を持つ複数のＭＥＭＳ（microelectromechanical systems：マイクロ電気機械システム）スイッチから構成されるスイッチ回路をマイクロ波回路やアンテナ回路に用い、駆動電圧の値によってマイクロ波回路やアンテナ回路の構成を可変するスイッチ回路に関するものである。
【背景技術】
【０００２】
従来のマイクロ波回路について図５を参照しながら説明する。図５は、従来のマイクロ波回路の構成を示す図である（例えば、非特許文献１参照）。【０００３】
図５において、従来のマイクロ波回路は、入力端子５０１及び出力端子５０２が接続されたランゲカップラ５０３と、ランゲカップラ５０３の結合端子５０６及び５０７に接続された信号回路が設けられている。【０００４】
ランゲカップラ５０３は、マイクロ波回路の入力端子５０１に接続された入力端子５０４と、マイクロ波回路の出力端子５０２に接続された出力端子５０５と、結合端子５０６と、結合端子５０７が接続されている。【０００５】
信号回路は、結合端子５０６に一端が接続され、グランド５１３に他端が接続された線路５１１と、結合端子５０７に一端が接続され、グランド５１４に他端が接続された線路５１２と、結合端子５０６に近い方から線路５１１の途中に接続されたＭＥＭＳスイッチ５２１、５２５、５２９と、結合端子５０７に近い方から線路５１２の途中に接続されたＭＥＭＳスイッチ５２２、５２６、５３０と、ＭＥＭＳスイッチ５２１に接続されるとともに、ＭＥＭＳスイッチ５２２に接続されたバイアス端子５５１と、ＭＥＭＳスイッチ５２５に接続されるとともに、ＭＥＭＳスイッチ５２６に接続されたバイアス端子５５２と、ＭＥＭＳスイッチ５２９に接続されるとともに、ＭＥＭＳスイッチ５３０に接続されたバイアス端子５５３とが設けられている。【０００６】
つぎに、従来のマイクロ波回路の動作について図面を参照しながら説明する。なお、長さは、０＜Ｌ１＜Ｌ２＜Ｌ３＜Ｌ４の関係がある。【０００７】
図５は、４ビット移相器のうち、２ビット分の回路である。ランゲカップラ５０３は、入力端子５０４から入力された高周波信号の半分を結合端子５０６に、残りの半分を結合端子５０７に出力する。結合端子５０７の出力信号は、結合端子５０６の出力信号より位相が９０度遅れる。【０００８】
結合端子５０６に出力された高周波信号は、ＭＥＭＳスイッチ５２１、あるいはＭＥＭＳスイッチ５２５、あるいはＭＥＭＳスイッチ５２９、あるいは終端のグランド５１３で反射され、再び結合端子５０６を通り、入力端子５０４に半分、残りの半分を出力端子５０５に出力する。この際、出力端子５０５の出力信号は、入力端子５０４の出力信号より位相が９０度遅れる。【０００９】
同様に、結合端子５０７に出力された高周波信号は、ＭＥＭＳスイッチ５２２、あるいはＭＥＭＳスイッチ５２６、あるいはＭＥＭＳスイッチ５３０、あるいは終端のグランド５１４で反射され、再び結合端子５０７を通り、入力端子５０４に半分、残りの半分を出力端子５０５に出力する。この際、入力端子５０４の出力信号は、出力端子５０５の出力信号より位相が９０度遅れる。【００１０】
バイアス端子５５１に電圧がかかっていると、ＭＥＭＳスイッチ５２１、５２２が線路５１１、５１２をちょうどＭＥＭＳスイッチ５２１、５２２の位置で短絡する。それぞれの線路での反射波は同じ反射位相Γで反射されるため、入力端子５０１から入力端子５０４、結合端子５０６、ＭＥＭＳスイッチ５２１、結合端子５０６、出力端子５０５、出力端子５０２の順で伝播する信号と、入力端子５０１から入力端子５０４、結合端子５０７、ＭＥＭＳスイッチ５２２、結合端子５０７、出力端子５０５、出力端子５０２の順で伝播する信号は位相差がなくなり、重ねあわされる。【００１１】
一方、入力端子５０１から入力端子５０４、結合端子５０６、ＭＥＭＳスイッチ５２１、結合端子５０６、入力端子５０４、入力端子５０１の順で伝播する信号と、入力端子５０１から入力端子５０４、結合端子５０７、ＭＥＭＳスイッチ５２２、結合端子５０７、入力端子５０４、入力端子５０１の順で伝播する信号は逆位相となり、打ち消しあう。【００１２】
このように、入力端子５０１から入力された高周波信号は、線路５１１、５１２の同じ位置で反射される限り、一定の位相の遅れを持って、出力端子５０２にすべて出力される。この位相の遅れ量はバイアス端子５５１、あるいはバイアス端子５５２、あるいはバイアス端子５５３のいずれかに電圧をかけるか、あるいはいずれのバイアス端子５５１〜５５３にも電圧をかけないようにするかの４通りから選択することができる。【００１３】
いずれのバイアス端子５５１〜５５３にも電圧が加わらないとき、線路５１１、５１２の等価的な長さはＬ４となり、位相遅れは高周波信号がＬ４の２倍進む距離に相当する。【００１４】
バイアス端子５５３に電圧が加わるとき、線路５１１、５１２の等価的な長さはＬ３となり、位相遅れは高周波信号がＬ３の２倍進む距離に相当する。【００１５】
バイアス端子５５２に電圧が加わるとき、線路５１１、５１２の等価的な長さはＬ２となり、位相遅れは高周波信号がＬ２の２倍進む距離に相当する。【００１６】
バイアス端子５５１に電圧が加わるとき、線路５１１、５１２の等価的な長さはＬ１となり、位相遅れは高周波信号がＬ１の２倍進む距離に相当する。このため、２ビット分の移相器回路と呼ぶことができるが、バイアス端子５５１〜５５３は少なくとも３つ必要である。【００１７】
【非特許文献１】A. Malczewski, S. Eshelman, B. Pillans, J. Ehmke, and C. L. Goldsmith "X-Band RF MEMS Phase Shifters for Phased Array Applications", IEEE MICROWAVE AND GUIDED WAVE LETTERS, VOL. 9, NO. 12, DECEMBER 1999, pp. 517-519.
【発明の開示】
【発明が解決しようとする課題】
【００１８】
上述したような従来のマイクロ波回路では、バイアス端子は少なくとも３つ必要であるという問題点があった。【００１９】
この発明は、上述のような課題を解決するためになされたもので、その目的は、バイアス端子を減らすことができ、マイクロ波回路やアンテナ回路などの回路の構成を簡単に変えることができるスイッチ回路を得るものである。
【課題を解決するための手段】
【００２０】
この発明に係るスイッチ回路は、駆動電圧がそれぞれ異なり、並列あるいは直列に接続された複数のＭＥＭＳスイッチと、前記複数のＭＥＭＳスイッチを複数の駆動電圧で駆動する単一の電圧源とを設けたものである。
【発明の効果】
【００２１】
この発明に係るスイッチ回路は、バイアス端子を減らすことができ、マイクロ波回路やアンテナ回路などの回路の構成を簡単に変えることができるという効果を奏する。
【図面の簡単な説明】
【００２２】
【図１】この発明の実施例１に係るマイクロ波回路の構成を示す図である。
【図２】この発明の実施例１に係るマイクロ波回路のバイアス端子の電圧と線路の接地点までの長さの関係を示す図である。
【図３】この発明の実施例２に係るアンテナ回路の構成を示す図である。
【図４】この発明の実施例３に係るアンテナ回路の構成を示す図である。
【図５】従来のマイクロ波回路の構成を示す図である。
【発明を実施するための最良の形態】
【００２３】
実施例１は、異なる駆動電圧を持つ複数のＭＥＭＳスイッチから構成されるスイッチ回路をマイクロ波回路に用いた例を説明し、実施例２及び３は、上記スイッチ回路をアンテナ回路に用いた例を説明する。なお、電圧（０＜Ｖ１＜Ｖ２＜Ｖ３・・・）と、長さ（０＜Ｌ１＜Ｌ２＜Ｌ３＜Ｌ４・・・）の関係は、各実施例内の相対的な大きさの関係を表す。従って、例えば、実施例１の電圧Ｖ１と実施例２の電圧Ｖ１が同じ大きさとは限らない。
【実施例１】
【００２４】
この発明の実施例１に係るマイクロ波回路について図１及び図２を参照しながら説明する。図１は、この発明の実施例１に係るマイクロ波回路の構成を示す図である。【００２５】
図１において、この実施例１に係るマイクロ波回路は、入力端子１及び出力端子２が接続された９０度−３ｄＢカップラ３と、９０度−３ｄＢカップラ３の結合端子６及び７に接続された信号回路が設けられている。【００２６】
９０度−３ｄＢカップラ３は、マイクロ波回路の入力端子１に接続された入力端子４と、マイクロ波回路の出力端子２に接続された出力端子５と、結合端子６と、結合端子７が接続されている。【００２７】
信号回路は、結合端子６に一端が接続され、グランド１３に他端が接続された線路１１と、結合端子７に一端が接続され、グランド１４に他端が接続された線路１２と、結合端子６に近い方から線路１１の途中に接続されたＭＥＭＳスイッチ２１、２５、２９と、結合端子７に近い方から線路１２の途中に接続されたＭＥＭＳスイッチ２２、２６、３０と、ＭＥＭＳスイッチ２１、２２、２５、２６、２９、３０にバイアス端子４３を経て一端が接続され、グランド４２に他端が接続された共通の電圧源４１とが設けられている。【００２８】
つぎに、この実施例１に係るマイクロ波回路の動作について図面を参照しながら説明する。図２は、この発明の実施例１に係るマイクロ波回路のバイアス端子の電圧と線路の接地点までの長さの関係を示す図である。なお、電圧は、０（ボルト）＜Ｖ１＜Ｖ２＜Ｖ３の関係がある。また、長さは、０＜Ｌ１＜Ｌ２＜Ｌ３＜Ｌ４の関係がある。【００２９】
９０度−３ｄＢカップラ３は、入力端子４から入力された高周波信号の半分を結合端子６に、残りの半分を結合端子７にそれぞれ出力する。結合端子７の出力信号は、結合端子６の出力信号より位相が９０度遅れる。【００３０】
結合端子６に出力された高周波信号は、ＭＥＭＳスイッチ２１、あるいはＭＥＭＳスイッチ２５、あるいはＭＥＭＳスイッチ２９、あるいは終端のグランド１３で反射され、再び結合端子６を通り、入力端子４に半分、残りの半分を出力端子５に出力する。この際、出力端子５の出力信号は、入力端子４の出力信号より位相が９０度遅れる。【００３１】
同様に、結合端子７に出力された高周波信号は、ＭＥＭＳスイッチ２２、あるいはＭＥＭＳスイッチ２６、あるいはＭＥＭＳスイッチ３０、あるいは終端のグランド１４で反射され、再び結合端子７を通り、入力端子４に半分、残りの半分を出力端子５に出力する。この際、出力端子５の出力信号は、入力端子４の出力信号より位相が９０度遅れる。【００３２】
バイアス端子４３の電圧の値がＶ３のとき、ＭＥＭＳスイッチ２１、２２が線路１１、１２をちょうどＭＥＭＳスイッチ２１、２２の位置で短絡する。それぞれの線路１１、１２での反射波は同じ反射位相Γで反射されるため、入力端子１から入力端子４、結合端子６、ＭＥＭＳスイッチ２１、結合端子６、出力端子５、出力端子２の順で伝播する信号と、入力端子１から入力端子４、結合端子７、ＭＥＭＳスイッチ２２、結合端子７、出力端子５、出力端子２の順で伝播する信号は位相差がなくなり、重ねあわされる。【００３３】
一方、入力端子１から入力端子４、結合端子６、ＭＥＭＳスイッチ２１、結合端子６、入力端子４、入力端子１の順で伝播する信号と、入力端子１から入力端子４、結合端子７、ＭＥＭＳスイッチ２２、結合端子７、入力端子４、入力端子１の順で伝播する信号は逆位相となり、打ち消しあう。【００３４】
このように、入力端子１から入力された高周波信号は、線路１１、１２の同じ位置で反射される限り、一定の位相の遅れを持って、出力端子２にすべて出力される。この位相の遅れ量は、バイアス端子４３の電圧の０ボルト（０Ｖ）、Ｖ１、Ｖ２、Ｖ３の４通りから選択することができる。【００３５】
電圧源４１の電圧が０Ｖのとき、図１及び図２に示すように、線路１１の接地点までの長さはＬ４である。【００３６】
バイアス端子４３に電圧源４１から電圧Ｖ１が加わると、ＭＥＭＳスイッチ２９により線路１１とグランド３１が接続されるようになっており、図１及び図２に示すように、線路１１の等価的な長さはＬ３となる。【００３７】
バイアス端子４３に電圧源４１から電圧Ｖ２が加わると、ＭＥＭＳスイッチ２５により線路１１とグランド２７が接続されるようになっており、図１及び図２に示すように、線路１１の等価的な長さはＬ２となる。【００３８】
バイアス端子４３に電圧源４１から電圧Ｖ３が加わると、ＭＥＭＳスイッチ２１により線路１１とグランド２３が接続されるようになっており、図１及び図２に示すように、線路１１の等価的な長さはＬ１となる。【００３９】
また、電圧源４１の電圧が０Ｖのとき、図１及び図２に示すように、線路１２の接地点までの長さはＬ４である。【００４０】
バイアス端子４３に電圧源４１から電圧Ｖ１が加わると、ＭＥＭＳスイッチ３０により線路１２とグランド３２が接続されるようになっており、図１及び図２に示すように、線路１２の等価的な長さはＬ３となる。【００４１】
バイアス端子４３に電圧源４１から電圧Ｖ２が加わると、ＭＥＭＳスイッチ２６により線路１２とグランド２８が接続されるようになっており、図１及び図２に示すように、線路１２の等価的な長さはＬ２となる。【００４２】
バイアス端子４３に電圧源４１から電圧Ｖ３が加わると、ＭＥＭＳスイッチ２２により線路１２とグランド２４が接続されるようになっており、図１及び図２に示すように、線路１２の等価的な長さはＬ１となる。ここで、上述したように、０Ｖ＜Ｖ１＜Ｖ２＜Ｖ３である。このため、バイアス端子４３は１つですむ。【００４３】
なお、上記実施例１では、線路１１、１２の終端に近いＭＥＭＳスイッチ２９、３０を低い駆動電圧で駆動するとともに、線路１１、１２の入力端に近いＭＥＭＳスイッチ２１、２２を高い駆動電圧で駆動しているが、逆に、線路１１、１２の終端に近いＭＥＭＳスイッチ２９、３０を高い駆動電圧で駆動するとともに、線路１１、１２の入力端に近いＭＥＭＳスイッチ２１、２２を低い駆動電圧で駆動してもよい。
【実施例２】
【００４４】
この発明の実施例２に係るアンテナ回路について図３を参照しながら説明する。図３は、この発明の実施例２に係るアンテナ回路の構成を示す図である。【００４５】
図３において、この実施例２に係るアンテナ回路は、一組の櫛状導体から構成されるアンテナ１０１と、アンテナ１０１の先端の櫛歯の間に装荷されたコンデンサ１０２と、アンテナ１０１の先端から２番目の櫛歯の間に装荷され、両端の電圧がＶ１以上のとき大きな容量を持つＭＥＭＳスイッチ１０３と、アンテナ１０１の先端から３番目の櫛歯の間に装荷され、両端の電圧がＶ２以上のとき大きな容量を持つＭＥＭＳスイッチ１０４と、アンテナ１０１の先端から４番目の櫛歯の間に装荷され、両端の電圧がＶ３以上のとき大きな容量を持つＭＥＭＳスイッチ１０５と、給電点１０７、１０８の間にＭＥＭＳスイッチ１０３〜１０５を駆動する電圧源１０９とが設けられている。【００４６】
アンテナ１０１は、給電点１０７、１０８よりグランド１０６の下面に入り、コンデンサ１１０、１１１を介して、波源１１２に接続される。この波源１１２のグランド１１３は、グランド１０６と同電位である。【００４７】
つぎに、この実施例２に係るアンテナ回路の動作について図面を参照しながら説明する。なお、電圧は、０（ボルト）＜Ｖ１＜Ｖ２＜Ｖ３の関係がある。また、長さは、０＜Ｌ１＜Ｌ２＜Ｌ３＜Ｌ４の関係がある。【００４８】
電圧源１０９の電圧がＶ１未満のとき、全てのＭＥＭＳスイッチ１０３、１０４、１０５はそれぞれ小さな容量を持ち、高周波信号を通さない。従って、アンテナ１０１は、先端のコンデンサ１０２で接続され、長さＬ４の１／２波長に近い周波数で動作する。【００４９】
電圧源１０９の電圧がＶ１以上でＶ２未満のとき、ＭＥＭＳスイッチ１０３は大きな容量を持ち、高周波信号を通す。従って、アンテナ１０１は、ＭＥＭＳスイッチ１０３で接続され、長さＬ３の１／２波長に近い周波数で動作する。【００５０】
電圧源１０９の電圧がＶ２以上でＶ３未満のとき、ＭＥＭＳスイッチ１０４は大きな容量を持ち、高周波信号を通す。従って、アンテナ１０１は、ＭＥＭＳスイッチ１０４で接続され、長さＬ２の１／２波長に近い周波数で動作する。【００５１】
電圧源１０９の電圧がＶ３以上のとき、ＭＥＭＳスイッチ１０５は大きな容量を持ち、高周波信号を通す。従って、アンテナ１０１は、ＭＥＭＳスイッチ１０５で接続され、長さＬ１の／２波長に近い周波数で動作する。【００５２】
なお、ＭＥＭＳスイッチ１０３〜１０５は、容量を持っているので、ＭＥＭＳコンデンサ１０３〜１０５と称することもできる。従って、上記実施例２は、容量の小さいＭＥＭＳコンデンサ１０３の駆動電圧を低く、容量の大きいＭＥＭＳコンデンサ１０５の駆動電圧を高くしていると説明することができる。また、実際の動作で、容量の小さいＭＥＭＳコンデンサ１０３の駆動電圧を高く、容量の大きいＭＥＭＳコンデンサ１０５の駆動電圧を低くしてもよい。
【実施例３】
【００５３】
この発明の実施例３に係るアンテナ回路について図４を参照しながら説明する。図４は、この発明の実施例３に係るアンテナ回路の構成を示す図である。【００５４】
図４において、この実施例３に係るアンテナ回路は、アンテナ導体２０１、２０２、２０３、２０４、２０５、２０６から構成されるアンテナと、アンテナ導体２０１と２０２の間に設けられたＭＥＭＳスイッチ２０７と、アンテナ導体２０２と２０３の間に設けられたＭＥＭＳスイッチ２０８と、アンテナ導体２０４と２０５の間に設けられたＭＥＭＳスイッチ２０９と、アンテナ導体２０５と２０６の間に設けられたＭＥＭＳスイッチ２１０と、アンテナ導体２０１と２０２の間に設けられたコイル２１１と、アンテナ導体２０２と２０３の間に設けられたコイル２１２と、アンテナ導体２０４と２０５の間に設けられたコイル２１３と、アンテナ導体２０５と２０６の間に設けられたコイル２１４と、アンテナ導体２０３の最も外側に接続されたコイル２１６と、アンテナ導体２０６の最も外側に接続されたコイル２１７とが設けられている。【００５５】
アンテナ導体２０１、２０２、２０３は、アンテナの一方の導体を構成し、かつそれぞれは別の導体でできている。また、アンテナ導体２０４、２０５、２０６は、アンテナのもう一方の導体を構成し、かつそれぞれ別の導体でできている。【００５６】
筐体２１５内には、コイル２１６に一端が接続され、接地部２１９に他端が接続されたコンデンサ２１８と、コイル２１７に一端が接続され、接地部２２１に他端が接続されたコンデンサ２２０と、アンテナ導体２０１の最も内側に接続されたコイル２２２と、アンテナ導体２０４の最も内側に接続されたコイル２２３と、コイル２２２、２２３とコイル２１６、２１７の間に直流電圧を印加する電圧源２２７と、アンテナ導体２０１の最も内側と高周波信号入出力端子２２６の間に接続されたコンデンサ２２４と、アンテナ導体２０４の最も内側と高周波信号入出力端子２２６の間に接続されたコンデンサ２２５とが設けられている。【００５７】
つぎに、この実施例３に係るアンテナ回路の動作について図面を参照しながら説明する。なお、電圧は、０（ボルト）＜Ｖ１＜Ｖ２の関係がある。また、長さは、０＜Ｌ１＜Ｌ２＜Ｌ３の関係がある。【００５８】
ＭＥＭＳスイッチ２０７、２０９は、両端の電圧がＶ１以上のとき接続状態になり、Ｖ１未満のとき開放状態になるように設計されている。また、ＭＥＭＳスイッチ２０８、２１０は、両端の電圧がＶ２以上のとき接続状態になり、Ｖ２未満のとき開放状態になるように設計されている。【００５９】
電圧源２２７の電圧がＶ２以上のとき、全てのＭＥＭＳスイッチ２０７、２０８、２０９、２１０は接続状態である。アンテナ回路は、アンテナ導体２０１、２０２、２０３が接続された導体と、アンテナ導体２０４、２０５、２０６が接続された導体の２つの導体で構成され、長さＬ３のダイポールアンテナとして動作する。全てのコイルは高周波信号に対して大きな抵抗を示すため高周波信号を通さず、また全てのコンデンサは直流のバイアスを通さないように値が選ばれている。【００６０】
電圧源２２７の電圧がＶ１以上Ｖ２未満のとき、ＭＥＭＳスイッチ２０７、２０９は接続状態であり、ＭＥＭＳスイッチ２０８、２１０は開放状態である。アンテナ回路は、アンテナ導体２０１、２０２が接続された導体と、アンテナ導体２０４、２０５が接続された導体の２つの導体で構成され、長さＬ２のダイポールアンテナとして動作する。【００６１】
電圧源２２７の電圧がＶ１未満のとき、全てのＭＥＭＳスイッチ２０７、２０８、２０９、２１０は開放状態である。アンテナ回路は、アンテナ導体２０１とアンテナ導体２０４の２つの導体で構成され、長さＬ１のダイポールアンテナとして動作する。
【図１】
2006106567.tif 000002
【図２】
2006106567.tif 000003
【図３】
2006106567.tif 000004
【図４】
2006106567.tif 000005
【図５】
2006106567.tif 000006
【国際調査報告】
2006106567.tif 000007
2006106567.tif 000008
2006106567.tif 000009
2006106567.tif 000010